(57)【特許請求の範囲】
【請求項１】
ガイドレールと、
転動体を介して前記ガイドレールに移動自在に配設されるベアリングブロックと、
前記ベアリングブロックの両端に配設され、アンダーシール溝が設けられたエンドキャップと、
前記ガイドレールと前記ベアリングブロックとの間のシールを行なうアンダーシールであって、前記ベアリングブロックが前記ガイドレールに組み付けられた状態において前記アンダーシール溝から取り外すことができると共に前記アンダーシール溝へ取り付けることができる弾性材料で構成され、前記ガイドレールに当接させるためのリップ部と前記アンダーシール溝に挿入される保持部とを有しているアンダーシールと、を備え、
前記アンダーシールの各端部は、対応する前記アンダーシール溝にそれぞれ挿入保持され、
前記アンダーシールの前記各端部において、前記リップ部が前記保持部に対して突出しており、
前記保持部に突起が設けられていると共に、前記アンダーシール溝に前記突起と係合可能な凹部が設けられたことを特徴とするリニアガイド装置。
【請求項２】
前記弾性材料が、エラストマ若しくはプラスチックス等の樹脂材料であることを特徴とする請求項１に記載のリニアガイド装置。
【発明の詳細な説明】
【技術分野】
【０００１】
本発明は、リニアガイド装置のアンダーシール及びこれを備えたリニアガイド装置に関する。
【背景技術】
【０００２】
一般に、リニアガイド（直動案内）装置１０は、図７に示すように、ガイドレール２０と、ベアリングブロック３０と、ガイドレール２０に設けられるレール側転動溝２１とベアリングブロック３０に設けられるベアリングブロック側転動溝３１との間に転動自在に介装される転動体（ボール）４０と、を含んで構成される。
【０００３】
そして、この種のリニアガイド装置１０には、図７に示したように、ガイドレール２０の中心軸を挟んで両側にボール列が配設されており、転動体（ボール）４０は、ガイドレール側ボール溝２１及びベアリングブロック側ボール溝３１、エンドキャップ５０に設けられる方向転換路５１、ベアリングブロック３０に設けられる循環路３２を通って、無限循環するように構成されている。
【０００４】
ここで、特許文献１に開示されるように、図７のリニアガイド装置１０には、油密の確保や異物の混入等を抑制するために、ガイドレール２０とベアリングブロック３０との間に、アンダーシール６０が設けられる。該アンダーシール６０は、その両端部がエンドキャップ５０に設けられるアンダーシール溝５２（図８参照）にそれぞれ挿入されて保持される。
【０００５】
アンダーシール６０を、アンダーシール溝５２に挿入するには、アンダーシール６０はその全長に亘ってシール性能を確保できるようにゴム等の弾性材料に芯金を装填して構成されているため長手方向における剛性が高いことから、ガイドレール２０側（図８に示す矢印Y方向）からアンダーシール６０を挿入する必要がある。このため、従来のリニアガイド装置１０においては、ベアリングブロック３０がガイドレール２０に組み付けられている状態では、アンダーシール６０をアンダーシール溝５２に挿入することはできなかった。同様に、ベアリングブロック３０がガイドレール２０に組み付けられている状態では、アンダーシール６０をアンダーシール溝５２から外すことはできなかった。
【０００６】
従って、従来においては、アンダーシール６０を損傷、劣化等により交換しようとする場合、ベアリングブロック３０をガイドレール２０から取り外さなければならなかった。例えば、一本のレールに複数のベアリングブロックを取り付けている場合などにおいては、１個のベアリングブロックのアンダーシールだけを交換したい場合でも、該当するベアリングブロック以外のベアリングブロックも一旦ガイドレールから外さなければならない場合もあり、多大な時間と手間を要するおそれがある。
【特許文献１】実開平１−１７８２２１号公報
【発明の開示】
【発明が解決しようとする課題】
【０００７】
本発明は、上記従来の実情に鑑みなされたもので、簡単かつ安価な構成でありながら、簡単に組み付け・交換等をすることができるリニアガイド装置のアンダーシール及び該アンダーシールを利用したリニアガイド装置を提供することを目的とする。
【課題を解決するための手段】
【０００８】
上記の目的を達成するため、本発明に係るリニアガイド装置では、ガイドレールと、転動体を介して前記ガイドレールに移動自在に配設されるベアリングブロックと、前記ベアリングブロックの両端に配設され、アンダーシール溝が設けられたエンドキャップと、前記ガイドレールと前記ベアリングブロックとの間のシールを行なうアンダーシールであって、前記ベアリングブロックが前記ガイドレールに組み付けられた状態において前記アンダーシール溝から取り外すことができると共に前記アンダーシール溝へ取り付けることができる弾性材料で構成され、前記ガイドレールに当接させるためのリップ部と前記アンダーシール溝に挿入される保持部とを有しているアンダーシールと、を備え、前記アンダーシールの各端部は、対応する前記アンダーシール溝にそれぞれ挿入保持され、前記アンダーシールの前記各端部において、前記リップ部が前記保持部に対して突出しており、前記保持部に突起が設けられていると共に、前記アンダーシール溝に前記突起と係合可能な凹部が設けられたことを特徴とする。
【０００９】
また、本発明は、前記弾性材料が、エラストマ若しくはプラスチックス等の樹脂材料であることを特徴とする。
【発明の効果】
【００１１】
本発明は、従来のアンダーシールのようにゴム等の弾性材料に芯金を装填して構成されたものに対して、アンダーシールをエラストマやプラスチックス等の樹脂材料のみで構成したので、所望のシール性を確保しながら、ベアリングブロックをガイドレールに組み付けた状態であっても、アンダーシールを、エンドキャップに設けられるアンダーシール溝に簡単かつ迅速に挿入して取り付けることができる或いは取り外すことができるため、簡単かつ迅速にアンダーシールの組み付け・交換等を行なうことができる。
【００１２】
従って、本発明によれば、簡単かつ安価な構成でありながら、簡単に組み付け・交換等をすることができるリニアガイド装置のアンダーシール及び該アンダーシールを利用したリニアガイド装置を提供することができる。
【発明を実施するための最良の形態】
【００１３】
以下、添付の図面を参照しつつ、本発明の一実施の形態について詳細に説明する。
本発明の一実施の形態に係るリニアガイド装置１は、本実施形態で用いるアンダーシール２を除き、図７で示したものとほぼ同様の構成であるため、同様の構成要素には同一の符号を付すこととして、その詳細な説明は省略する。
【００１４】
図１に示す本実施形態に係るリニアガイド装置１では、図２に示すような、ガイドレール２０に当接されるリップ部２Ａと、その両端部がアンダーシール溝３Ａに挿入されて保持される保持部２Ｂと、を含んで構成されるアンダーシール２を用いる。該アンダーシール２は、エラストマやプラスチックス等の樹脂材料のみで構成されている。
【００１５】
アンダーシール２は、リップ部２Ａをガイドレール２０に当接して所望のシール性を確保するのに十分な強度（剛性）を備える一方で、図３（Ａ）、図３（Ｂ）に示すような方法でエンドキャップ３に設けられるアンダーシール溝３Ａに、後述する差込部分２ａ、２ｂを差し込む際に撓ませることができる程度の弾性を備えて構成される。
【００１６】
なお、アンダーシール２は、上記の強度（剛性）及び弾性に関する要求特性を備えることができれば、他の材料で構成されても良い。
【００１７】
ここで、本実施形態におけるアンダーシール２のベアリングブロック３０への取り付け方法について、図３（Ａ）、図３（Ｂ）を参照しつつ説明する。
【００１８】
まず、ガイドレール２０に組み付けられた状態のベアリングブロック３０にアンダーシール２を取り付ける際には、アンダーシール２の一端にある差込部分２ａを、エンドキャップ３に隣接するベアリングブロック３０側（図３（Ａ）の矢印方向）から、対応する側のアンダーシール溝３Ａに挿入する。
【００１９】
次に、アンダーシール２を、図３（Ｂ）に示すように下方に撓ませて、アンダーシール２の他端にある差込部分２ｂを、エンドキャップ３に隣接するベアリングブロック３０側（図３（Ｂ）の矢印方向）から、対応する側のアンダーシール溝３Ａに挿入する。
【００２０】
ガイドレール２０に組み付けられた状態のベアリングブロック３０からアンダーシール２を取り外す際は、アンダーシール２を、図３（Ｂ）に示すように下方に撓ませて、エンドキャップ３のアンダーシール溝３Ａからアンダーシール２の差込部分２ａ、２ｂを抜き取る。
【００２１】
このように、本実施形態によれば、従来のアンダーシールのようにゴム等の弾性材料に芯金を装填して構成されるものに対して、アンダーシール２をエラストマやプラスチックス等の樹脂材料のみで構成したので、所望のシール性を確保することができると共に、ベアリングブロック３０をガイドレール２０に組み付けた状態であっても、アンダーシール２の差込部分２ａ、２ｂを、対応する側のアンダーシール溝３Ａに簡単かつ迅速に挿入或いは取り外することができるため、簡単かつ迅速にアンダーシールの組み付け・交換等を行なうことができる。
【００２２】
なお、アンダーシール２の端面を、図４に示すような形状とすることもでき、かかる場合には、アンダーシール溝３Ａは、図５に示すような形状とすることができる。
【００２３】
更に、アンダーシール２の保持部２Ｂに、図６（Ａ）、図６（Ｂ）に示すように、突起２Ｃを設ける一方、該突起２Ｃと係合可能な凹部（図示せず）をアンダーシール溝３Ａに設け、アンダーシール２の脱落防止などを一層確実なものとするように構成することもできる。
【００２４】
ところで、アンダーシール２、アンダーシール溝３Ａの形状は、本実施形態で例示したものに限定されるものではなく、組み付け・交換容易で、所定にシール性を確保しつつ保持可能な形状であれば、他の形状とすることができることは勿論である。
【図面の簡単な説明】
【００２５】
【図１】本発明の一実施の形態に係るリニアガイド装置の図７のＸ−Ｘ方向断面図である。
【図２】同上リニアガイド装置に用いられるアンダーシールの一例を示す図である。
【図３】（Ａ）は、同上リニアガイド装置に用いられるアンダーシールの一端を一方のアンダーシール溝に差し込む動作を説明する図であり、（Ｂ）は同上アンダーシールの他端をもう一方のアンダーシール溝に差し込む動作を説明する図である。
【図４】同上リニアガイド装置に用いられる他のアンダーシールの一例を示す図である。
【図５】図４のアンダーシールを採用した場合のアンダーシール溝形状を示す図である。
【図６】（Ａ）は図２のアンダーシールに突起部を設けた場合の一例を示す図であり、（Ｂ）は図４のアンダーシールに突起部を設けた場合の一例を示す図である。
【図７】従来のリニアガイドレール装置の全体構成を概略的に説明する部分断面図である。
【図８】図７に示したリニアガイド装置のエンドキャップを、ベアリングブロックへの取り付け面側から見た図である。
【符号の説明】
【００２６】
１    リニアガイド装置
２    アンダーシール
３    エンドキャップ
３Ａ  アンダーシール溝
２０  ガイドレール
３０  ベアリングブロック
４０  転動体（ボール）
【図１】
0004688066.tif 000002
【図２】
0004688066.tif 000003
【図３】
0004688066.tif 000004
【図４】
0004688066.tif 000005
【図５】
0004688066.tif 000006
【図６】
0004688066.tif 000007
【図７】
0004688066.tif 000008
【図８】
0004688066.tif 000009